(57)【特許請求の範囲】
【請求項１】
管体と、
前記管体の内周面よりも内側に延びる凸部と、を備え、
前記凸部が、突起状に形成されている管楽器。
【請求項２】
前記凸部は、半球状である請求項１に記載の管楽器。
【請求項３】
管体と、
前記管体の内周面よりも内側に延びる凸部と、を備え、
前記管体が、前記管体の開口端に向かうにしたがって内径寸法が大きくなるテーパ管部を有し、
前記凸部が、前記テーパ管部のうち内径寸法が最小となる位置に配されている管楽器。
【請求項４】
管体と、
前記管体の内周面よりも内側に延びる凸部と、を備え、
前記凸部が、前記管体の開口端の外側に配されている管楽器。
【請求項５】
前記凸部が、前記管体の周方向に間隔をあけて複数配列されている請求項１から請求項４のいずれか一項に記載の管楽器。
【請求項６】
複数の前記凸部が、前記管体の軸線を中心として互いに対称となる位置に配されている請求項５に記載の管楽器。
【請求項７】
前記管体が音孔を有し、
前記凸部が、前記音孔よりも前記管体の開口端側に配されている請求項１から請求項６のいずれか一項に記載の管楽器。
【請求項８】
前記管体が、前記管体の軸線の向きを変えるように曲がっている湾曲管部を有し、
前記凸部が、前記管体のうち前記湾曲管部よりも前記管体の開口端側に配されている請求項１から請求項７のいずれか一項に記載の管楽器。
【発明の詳細な説明】
【技術分野】
【０００１】
本発明は、管楽器に関する。
【背景技術】
【０００２】
一般に、リコーダー、サックス、トランペット等の管楽器は、筒状に形成された管体の軸方向の第一端部に息を管体内に吹き込むマウスピースが設けられ、管体の第二端が外部に開口して構成されている。
特許文献１には、鍵盤を有する楽器本体と、楽器本体に連結されたマウスピースと、を備える鍵盤式吹奏楽器において、マウスピースと楽器本体との間に、フィルタを設けた構成が開示されている。フィルタは、通風性を有するが、唾液や不純物の通過を阻止する。
【先行技術文献】
【特許文献】
【０００３】
【特許文献１】米国特許第３７１５４４８号明細書
【発明の概要】
【発明が解決しようとする課題】
【０００４】
ところで、多くの管楽器では、管体の第二端が外部に開口しているため、管体の内径寸法よりも少しだけ小さい異物（例えばビー玉等の球状体）が、管体の第二端から管体内に入り込んでしまうことがある。特に、管体がトランペット等のように曲がっている部分を有していると、管体内に入り込んだ異物を取り出すことが困難となる場合がある。また、このような管楽器を学童などの年少者が扱う場合、意図的に異物を管体内に入れようとする可能性がある。このため、異物が入り込む管体の構造は好ましくない。
【０００５】
管体の第二端から管体内への異物の侵入を防ぐためには、例えば特許文献１のフィルタを管体の第二端側の部分に設けることが考えられる。しかしながら、特許文献１のフィルタを管体の第二端側の部分に設けた場合、以下の不具合が生じてしまう。第一に、フィルタが管体内に生じる共鳴周波数に影響し、管楽器の音響特性が変化してしまう。第二に、管体内を手入れするための布（スワブ）を管体の第二端から管体内に挿入できないため、管体内の手入れが面倒となってしまう。
【０００６】
本発明は、上述した事情に鑑みてなされたものであって、音響特性や管体の手入れに対する影響を小さく抑えながら、管体内への異物侵入を抑制できる管楽器を提供することを目的とする。
【課題を解決するための手段】
【０００７】
本発明は、管体と、前記管体の内周面よりも内側に延びる凸部と、を備え、前記管体が、前記管体の開口端に向かうにしたがって内径寸法が大きくなるテーパ管部を有し、前記凸部が、前記テーパ管部のうち内径寸法が最小となる位置に配されている管楽器を提供する。
また、本発明は、管体と、前記管体の内周面よりも内側に延びる凸部と、を備え、前記凸部が、前記管体の開口端の外側に配されている管楽器を提供する。
また、本発明は、管体と、前記管体の内周面よりも内側に延びる凸部と、を備え、前記凸部が、突起状に形成されている管楽器を提供する。
【発明の効果】
【０００８】
本発明によれば、管楽器の音響特性への影響、及び、管体の手入れへの影響を小さく抑えながら、管体内への異物侵入を抑制できる。
【図面の簡単な説明】
【０００９】
【図１】本発明の第一実施形態に係る管楽器を示す平面図である。
【図２】図１のII−II矢視断面図である。
【図３】図２の管体を主管の開口端側から見た正面図である。
【図４】図３の凸部の配置の変形例を示す管体の正面図であり、（ａ）は第一変形例、（ｂ）は第二変形例である。
【図５】図３，４の凸部の変形例を示す管体の正面図であり、（ａ）は第一変形例、（ｂ）は第二変形例である。
【図６】本発明の第二実施形態に係る管楽器の要部を示す断面図である。
【図７】本発明の第三実施形態に係る管楽器の要部を示す斜視図である。
【発明を実施するための形態】
【００１０】
〔第一実施形態〕
以下、図１〜３を参照して本発明の第一実施形態について説明する。
図１，２に示すように、本実施形態の管楽器１は、管体２を備える。管体２は、例えば木材材料、金属材料、樹脂材料のいずれか一つの材料によって形成されてもよいし、例えばこれらの材料を適宜組み合わせた材料によって形成されてもよい。
管体２は、例えば複数の音孔５を有する主管３のみ備えてもよいが、本実施形態では、主管３と、主管３から分岐して延びる副管４と、を備える。
【００１１】
本実施形態の主管３は、内径寸法が一定の円筒状に形成されている。主管３に形成された複数の音孔５は、主管３の軸方向に間隔をあけて配列されている。複数の音孔５は、例えば全て演奏者の手指で直接開閉されてもよいし、例えば全て鍵機構６（キーシステム）を利用して開閉されてもよい。本実施形態では、一部の音孔５が演奏者の手指で直接開閉され、残りの音孔５が鍵機構６を利用して開閉される。すなわち、本実施形態の管楽器１は、鍵機構６も備える。
【００１２】
主管３の軸方向の第一端には、マウスピース６が設けられている。マウスピース７は、例えば管体２に一体に形成されてもよいが、本実施形態では、管体２に対して着脱可能に装着される。マウスピース７は、例えば、エアリード、リップリード、シングルリード、ダブルリードであってよい。主管３の軸方向の第二端は、外側に開口している。主管３の第二端には、例えばベルが設けられてもよい。本実施形態において、主管３の第二端には、主管３の径方向において主管３の外側に延びるフランジ部８が設けられている。
【００１３】
主管３は、例えば主管３の軸線が直線状に延びる直線管部１１のみによって構成されてもよいし、例えば主管３の軸線の向きを変えるように曲がっている湾曲管部１２のみによって構成されてもよい。本実施形態の主管３は、直線管部１１及び湾曲管部１２の両方を有する。直線管部１１と湾曲管部１２とは、主管３の軸方向に接続されている。主管３の開口端９（第二端）は、例えば湾曲管部１２によって構成されてもよいが、本実施形態では直線管部１１によって構成されている。本実施形態の湾曲管部１２は、複数回曲がっていることで蛇行しているが、例えば一回だけ曲がっていてもよい。
図示例において、主管３の音孔５は、湾曲管部１２に形成され、主管３の開口端９をなす直線管部１１には形成されていないが、例えば直線管部１１にも形成されてよい。
【００１４】
本実施形態の副管４は、内径寸法が一定の円筒状に形成されている。副管４は、主管３のうちマウスピース７側の端部に接続されている。副管４が主管３から延びる方向は、任意であってよい。本実施形態において、副管４は、主管３の長手方向（Ｘ軸方向）に沿うように延びている。管体２が主管３及び副管４を備えることで、本実施形態の管楽器１は、管体２が円錐管状である場合と同様の音響特性を有する。
本実施形態において、管体２や主管３の長手方向は、管楽器１を演奏する演奏者から見てマウスピース７から主管３の開口端９に向かう真っ直ぐな方向に対応している。以下の説明では、演奏者から見た左右方向を管体２、主管３等の幅方向（Ｙ軸方向）と呼び、演奏者から見た上下方向を管体２等、主管３等の高さ方向（Ｚ軸方向）と呼ぶことがある。
【００１５】
上記した本実施形態の管体においては、湾曲管部１２が主管３の高さ方向にのみ曲がっている。また、複数の音孔５が、主管３の幅方向の中央に形成され、主管３の長手方向に一列に並べられている。
このため、本実施形態では、主管３の形状を、主管３の幅方向の中央を基準として左右対称の形状とすることができる。これにより、主管３は、左右対称の形状に形成された一対の分割構成体を、各々成形した上で互いに貼り合わせることで製造することができる。
【００１６】
図２，３に示すように、管楽器１は、主管３の内周面１３よりも内側に延びる凸部２０を備える。
本実施形態において、凸部２０は主管３の内周面１３に配されている。凸部２０は、主管３の軸方向において湾曲管部１２よりも主管３の開口端９側に配されている。すなわち、凸部２０は主管３の開口端９をなす直線管部１１の内周面１３に配されている。また、本実施形態において、凸部２０は、主管３の開口端９から最も近くに位置する音孔５よりも主管３の開口端９側に配されている。
【００１７】
本実施形態において、凸部２０は、主管３の内周面１３から主管３の径方向において主管３の内側に延びている。本実施形態の凸部２０は、その延長方向の先端が内周面１３の別の位置に到達しない突起状に形成されている。突起状の凸部２０の具体的な形状は、任意であってよいが、本実施形態では半球状である。
【００１８】
本実施形態において、凸部２０は、主管３の周方向に間隔をあけて複数配列されている。より具体的に、本実施形態の凸部２０は、主管３の軸線を中心として互いに対称となる位置に一対配されている。一対の凸部２０，２０は、主管３の軸方向において同じ位置に配されている。一対の凸部２０，２０は、主管３の周方向において任意の位置に配されてよいが、本実施形態では主管３の内周面１３のうち主管３の幅方向の両端に位置する領域に配されている。
【００１９】
上記した凸部２０は、例えば主管３と別個に形成された上で主管３に固定されてもよいが、本実施形態では主管３に一体に形成されている。
本実施形態の凸部２０は、所定のサイズ以上の異物Ｏが、主管３内のうち主管３の軸方向において凸部２０が配された位置（以下、凸部位置と呼ぶ。）を通過することを防ぐ。例えば、管楽器１が凸部２０を有さない場合と比較して、より小さな径寸法を有する球形状の異物Ｏが凸部位置を通過することを防ぐ。
【００２０】
本実施形態の管楽器１では、湾曲管部１２における異物Ｏの通りやすさを考慮して、主管３の内周面１３よりも内側に延びる凸部２０の延長方向の寸法（高さ寸法）が設定されている。
具体的に説明すれば、主管３内に挿入可能な範囲内で異物Ｏのサイズ（球形状の異物Ｏの径寸法）が大きいほど、また、湾曲管部１２の曲率が大きい（曲率半径が小さい）ほど、異物Ｏは湾曲管部１２において通り難くなる。すなわち、異物Ｏは湾曲管部１２に留まりやすくなる。これに対し、凸部２０の高さ寸法は、湾曲管部１２において通りやすいサイズの異物Ｏだけが凸部位置を通過可能となるように設定されている。
【００２１】
以上のように構成される本実施形態の管楽器１によれば、主管３の内周面１３よりも内側に延びる凸部２０を有していることで、主管３内への異物Ｏの侵入を抑制できる。特に本実施形態では、所定のサイズ以上の異物Ｏが、主管３内において凸部位置を通過することを防止できる。
【００２２】
また、本実施形態の管楽器１によれば、従来のようなフィルタを設ける場合と比較して、凸部２０の設置による主管３内の断面積（主管３の軸方向に直交する断面積）の変化を小さく抑えることができる。このため、凸部２０の設置に基づく管楽器１の音響特性への影響を小さく抑えることができる。上記した主管３内の断面積とは、例えば、気体が主管３内において主管３の軸方向に流れることができる実質的な断面積（流路断面積）を意味する。
また、本実施形態の管楽器１によれば、凸部２０を設けても、主管３内を手入れするための布（スワブ）は凸部位置を容易に通過できる。すなわち、主管３の手入れを容易に行うことができる。
【００２３】
また、本実施形態の管楽器１によれば、凸部２０が、主管３の周方向に間隔をあけて複数配列されている。凸部２０が複数である場合には、凸部２０が一つである場合と比較して、所定サイズ以上の異物Ｏが凸部位置を通過することを阻止するために必要な凸部２０の高さ寸法を小さく抑えることができる。すなわち、凸部２０の設置による主管３内の断面積の変化をより小さく抑えることができる。したがって、管楽器１の音響特性への影響をさらに小さく抑えることができる。
【００２４】
また、本実施形態の管楽器１によれば、凸部２０が湾曲管部１２よりも主管３の開口端９側に配されている。このため、異物Ｏが湾曲管部１２に入り込むことを効果的に抑制できる。
また、本実施形態の管楽器１によれば、凸部位置を通過可能なサイズの異物Ｏは、湾曲管部１２内を通りやすい。このため、仮に異物Ｏが湾曲管部１２内に入り込んでも、容易に異物Ｏを主管３から抜き出すことができる。したがって、異物Ｏが主管３内に留まることを防いで、管楽器１の演奏が異物Ｏによって阻害されることを防止できる。
【００２５】
また、本実施形態の管楽器１によれば、凸部２０が主管３の開口端９から最も近くに位置する音孔５よりも主管３の開口端９側に配されている。このため、凸部２０による管楽器１の音響特性への影響を最小限に抑えることができる。具体的に説明すれば、管楽器１において最低音階以外の音階を発音する場合、主管３のうち手指や鍵機構６によって閉じられた音孔５よりも開口端９側の部位は共鳴管として機能しない。このため、凸部２０が管楽器１において最低音階を除く音階の発音に影響を与えることを防止できる。
【００２６】
また、本実施形態の管楽器１によれば、凸部２０が主管３の内周面１３のうち主管３の幅方向の端に配されている。特に本実施形態では、一対の凸部２０，２０が、主管３の内周面１３のうち主管３の幅方向の両端の領域に配されている。このため、凸部２０を前述した主管３の分割構成体と共に簡単に成形することができる。特に、分割構成体の成形時における型抜きを容易に行うことができる。したがって、凸部２０を含む管楽器１を容易に製造することができる。
【００２７】
上記した第一実施形態において、突起状の凸部２０は、例えば図４（ａ）に示すように主管３の周方向において等間隔で三つ配列されてもよい。この場合には、凸部２０が二つである場合と比較して、所定サイズ以上の異物Ｏが凸部位置を通過することを阻止するために必要な凸部２０の高さ寸法をさらに小さく抑えることができる。また、凸部２０が四つ以上配列される場合と比較して、凸部２０の設置による主管３内の断面積の変化を小さく抑えることができる。したがって、管楽器１の音響特性への影響を最小限に抑えることが可能となる。
【００２８】
また、突起状の凸部２０は、例えば図４（ｂ）に示すように、主管３の周方向の一か所のみに一つ配されてもよい。この場合、凸部２０は、図示例のように主管３の幅方向の中央に位置してもよいが、例えば上記第一実施形態と同様に、主管３の幅方向の端に位置してもよい。
【００２９】
また、突起状の凸部２０は、例えば主管３の軸方向に連続して形成されてもよい。この場合、主管３の軸方向において、主管３内の断面積が変化しないため、管楽器１の製造に際して、管楽器１の音響特性の設定を容易に行うことができる。また、主管３を容易に製造することができる。
【００３０】
また、主管３の内周面１３には、例えば図５に示すように、主管３の内周面１３から内側に延びる棒状の凸部２０Ａが配されてもよい。
図５（ａ）に例示する棒状の凸部２０Ａは、主管３の内周面１３の周方向の所定位置から主管３の内側に延びて内周面１３の別の位置に到達している。図示例では、棒状の凸部２０Ａが主管３の軸線に交差しているが、これに限ることはない。図５（ａ）に例示する棒状の凸部２０Ａは一つだけ設けられているが、棒状の凸部２０Ａは例えば複数設けられてもよい。この場合、複数の棒状の凸部２０Ａは、例えば交差してもよいし、交差しなくてもよい。
【００３１】
図５（ｂ）に例示する構成では、複数（図示例では三つ）の棒状の凸部２０Ａが、それぞれ主管３の軸線まで延びた上で、互いに接続されている。
棒状の凸部２０Ａの場合には、突起状の凸部２０Ａの場合と比較して、凸部位置を通過する異物のサイズをより小さく設定することが可能となる。
棒状の凸部２０Ａの数は、任意であってよいが、主管３の手入れのしやすさ（主管３内におけるスワブの通しやすさ）を考慮すると、少ない方がより好ましい。
【００３２】
図２〜５で例示した凸部２０，２０Ａは、例えば弾性を有してもよい。また、突起状の凸部２０は、例えば弾性的に撓み変形できる針状に形成されてもよい。
【００３３】
〔第二実施形態〕
次に、図６を参照して本発明の第二実施形態について説明する。本実施形態の管楽器は、第一実施形態の管楽器１と比較して、主管の一部構成及び凸部の配置のみが異なり、他の構成については同様である。本実施形態では、第一実施形態と同様の構成要素について同一符号を付す等して、その説明を省略する。
【００３４】
図６に示すように、本実施形態の管楽器１Ｂにおいて、管体２Ｂの主管３Ｂは、主管３Ｂの開口端９に向かうにしたがって内径寸法が大きくなるテーパ管部１４Ｂを備える。すなわち、テーパ管部１４Ｂは、本実施形態の主管３Ｂの開口端９を構成している。
図示例において、テーパ管部１４Ｂには、湾曲管部１２が接続されているが、例えば直線管部が接続されてもよい。図示しないが、主管３Ｂの音孔は、例えば湾曲管部１２のみに形成されてもよいし、湾曲管部１２及びテーパ管部１４Ｂの両方に形成されてもよい。
【００３５】
本実施形態の管楽器１Ｂに備える凸部２０は、第一実施形態と同様に、主管３Ｂの内周面１３に配されている。ただし、本実施形態において、凸部２０は、テーパ管部１４Ｂのうち内径寸法が最小となる位置に配されている。すなわち、凸部２０は、テーパ管部１４Ｂと湾曲管部１２との接続部分に配されている。図示例において、テーパ管部１４Ｂには、図２〜４に例示した突起状の凸部２０が設けられているが、例えば図５に例示した棒状の凸部２０Ａが設けられてもよい。
【００３６】
本実施形態の管楽器１Ｂによれば、第一実施形態と同様の効果を奏する。
また、本実施形態の管楽器１Ｂでは、凸部２０がテーパ管部１４Ｂのうち内径寸法が最小となる位置に配されている。このため、開口端９から主管３Ｂ内に入り込んだ異物が、テーパ管部１４Ｂに接続された主管３Ｂの別の管部（湾曲管部１２）に入り込むことを効果的に抑制できる。
【００３７】
〔第三実施形態〕
次に、図７を参照して本発明の第三実施形態について説明する。本実施形態の管楽器は、第一実施形態の管楽器１と比較して、凸部の配置のみが異なり、他の構成については同様である。本実施形態では、第一実施形態と同様の構成要素について同一符号を付す等して、その説明を省略する。
【００３８】
図７に示すように、本実施形態の管楽器１Ｃは、第一、第二実施形態と同様に、主管３の内周面１３よりも内側に延びる凸部２０Ｃを備える。ただし、本実施形態の凸部２０Ｃは、主管３の開口端９の外側に配されている。
本実施形態の凸部２０Ｃは、主管３の開口端９（フランジ部８）から主管３の内周面１３の内側に延びる棒状に形成されている。図示例において、棒状の凸部２０Ｃは、主管３の径方向において主管３の内側に向かうにしたがって主管３の軸方向において開口端９から離れるように延びているが、これに限ることはない。
【００３９】
図７に例示する構成では、図５（ｂ）に示した構成と同様に、複数（図示例では三つ）の棒状の凸部２０Ｃが、それぞれ主管３の軸線Ｌ１まで延びた上で互いに接続されているが、例えば互いに接続されなくてもよい。また、棒状の凸部２０Ｃは、例えば図５（ａ）に示した構成と同様に、主管３の周方向の所定位置から別の位置まで到達してもよい。
【００４０】
本実施形態の管楽器１Ｃによれば、第一実施形態と同様の効果を奏する。
また、本実施形態の管楽器１Ｃによれば、凸部２０Ｃが主管３内に設けられる場合と比較して、管楽器１Ｃの音響特性への影響を小さく抑えることができる。
本実施形態の凸部２０Ｃは、例えば第一、第二実施形態の管楽器１，１Ｂにも適用可能である。例えば、第一、第二実施形態の管楽器１，１Ｂにおいて、本実施形態の凸部２０Ｃが第一、第二実施形態の凸部２０，２０Ａと別個に設けられてもよい。
【００４１】
以上、本発明について詳細に説明したが、本発明は上記実施形態に限定されるものではなく、本発明の趣旨を逸脱しない範囲において種々の変更を加えることが可能である。
【００４２】
本発明の管楽器において、凸部は例えば副管に設けられてもよい。
【００４３】
本発明の管楽器は、木管楽器のように音孔を有する管楽器に適用されることに限らず、例えば金管楽器のように音孔を有さない管楽器に適用することも可能である。
【符号の説明】
【００４４】
１，１Ｂ，１Ｃ…管楽器、２，２Ｂ…管体、３，３Ｂ…主管、４…副管、５…音孔、９…開口端、１２…湾曲管部、１３…内周面、１４Ｂ…テーパ管部、２０，２０Ａ，２０Ｃ…凸部
【図１】
0006766387.tif 000002
【図２】
0006766387.tif 000003
【図３】
0006766387.tif 000004
【図４】
0006766387.tif 000005
【図５】
0006766387.tif 000006
【図６】
0006766387.tif 000007
【図７】
0006766387.tif 000008